(57)【要約】【課題】ＡＴＭの操作口に、カードを挿入し暗証番号を入力する際の盗撮を防止することが可能になり、利用者の入力操作を困難にすることのないＡＴＭ用盗撮防止装置を提供する。【解決手段】略箱体状のＡＴＭ本体Ｐ上面に表示パネル１を有し、このＡＴＭ本体Ｐから表示パネル１の上方に延長された壁面Ｐ１にカード挿入口２と通帳挿入口３とを備えたＡＴＭを設ける。表示パネル１の表示を利用者以外から盗撮されないように隠す保護カバー４を設け、表示パネル１またはカード挿入口２の上方に配設する。該保護カバー４に庇部４Ａを設ける。庇部４Ａで前記表示パネル１やカード挿入口２を覆うように配設する。保護カバー４を、盗撮カメラの荷重に耐えられない支持力で設置する。【選択図】図１
0003120388.tif 000002
【実用新案登録請求の範囲】
【請求項１】
略箱体状のＡＴＭ本体上面に表示パネルを有し、このＡＴＭ本体から表示パネルの上方に延長された壁面にカード挿入口を備えたＡＴＭにおいて、表示パネルの表示を盗撮されないように隠す保護カバーを設け、該保護カバーを表示パネルまたはカード挿入口の上方に位置するようにＡＴＭ本体または壁面に固定したことを特徴とするＡＴＭ用盗撮防止装置。
【請求項２】
前記保護カバーは、不透明な庇部と、前記壁面に固定する固定部とからなり、庇部で前記表示パネルとカード挿入口を覆うように配設された請求項１記載のＡＴＭ用盗撮防止装置。
【請求項３】
前記保護カバーは、盗撮カメラの荷重に耐えられない支持力で設置された請求項１または２記載のＡＴＭ用盗撮防止装置。
【請求項４】
前記保護カバーは、透明な庇部を有し、該庇部に、利用者側から表示パネルの表示を認識できる偏光フィルターが施された請求項１記載のＡＴＭ用盗撮防止装置。
【請求項５】
前記ＡＴＭは、前記壁面にカード挿入口と通帳挿入口とが併設され、前記保護カバーにてこれらカード挿入口と通帳挿入口とを隠すように配設し、利用者側から表示パネルとカード挿入口と通帳挿入口とを認識できるように設けた請求項４記載のＡＴＭ用盗撮防止装置。
【請求項６】
前記保護カバーは、前記表示パネルの左右側部から表示パネルの上部を囲む略ドーム型に形成された請求項４記載のＡＴＭ用盗撮防止装置。
【考案の詳細な説明】
【技術分野】
【０００１】
本考案は、現金自動預け払い機（以下、ＡＴＭと称する）の操作口に、カードを挿入し暗証番号を入力する際の盗撮を防止するＡＴＭ用盗撮防止装置に関する。
【背景技術】
【０００２】
ＡＴＭ（Automatic Teller Machine）の操作中に暗証番号の入力が盗撮される犯罪が後を絶たない。このような犯罪は、主に暗証番号の入力操作が見える表示パネル上方に隠しカメラを配置しておき、この情報に基づいてカードを偽造し、あるいはカードを盗み出して不正使用するケースが一般的である。
【０００３】
このような犯罪に対して、預金者保護法などにより、被害額を保障する動きもあるが、このような犯罪防止を可能とするＡＴＭの提供が望まれている。そこで、暗証番号が漏洩しないように工夫された従来の装置として、特許文献１乃至３に記載された装置が提案されている。
【０００４】
特許文献１は、カード保有者の暗証番号が漏洩しない暗証番号入力装置に関するものである。この暗証番号入力装置は、ケーブルを介して決済端末と電気的に接続されており、英数字からなる選択要素文字を選択して入力するものである。そして、選択要素文字を表示する選択文字表示部と、選択して決定入力された選択要素文字を４桁表示する入力文字表示部と、選択文字表示部に表示された選択要素文字の表示を選択する選択ボタン（第１のキー）と、選択された選択要素文字を決定し入力する入力ボタン（第２のキー）及び一度入力し決定された選択要素文字を入力文字表示部から消去する取消ボタンとを有するものである。この特許文献１によると、入力装置の表示画面に表示された選択要素文字を第１のキーにより選択し、第２のキーにより選択要素文字の決定ができるので、カード保有者のキー操作の操作順序により暗証番号が推測されて暗証番号が漏洩することが少なくなるというものである。
【０００５】
特許文献２は、カード読取端末機に打ち込む暗証番号を他人に盗み見されることのないデビットカード読取端末機に関するものである。すなわち、端末機の中に、網目状に垂直板を複数立て、端末機の中の番号数字を細字化し、細字化された数字を見易いように端末機の覗き窓を拡大レンズにして、その拡大レンズに垂直の傷を網目状に複数設けたものである。この読取端末機によると、手のひらにすっぽり入るカード読取端末機となるので、他人に盗み見される事なく暗証番号を打ち込む事ができるとしている。
【０００６】
特許文献３は、利用者が設定する暗証番号を利用者の個人情報から関連付けできないような仕組みを提供し、利用者の情報や資産を保護する暗証番号入力装置及び暗証番号認証方法に関するものである。この装置では、暗証番号を入力するための複数のボタンと、前記ボタンを押し下げたことを示す信号を検出して電気信号に変換して認証装置へ送信するデコーダと、利用者が暗証番号を入力する際に第三者から暗証番号の入力の様子を覗かれないようにする隠蔽ケースを有し、前記ボタンの上部には指の動きを覆い尽くす前記隠蔽ケースが設けてある。そして、暗証番号入力時の指の動きを基に入力された暗証番号を第三者に悟られないように、前記複数のボタンのそれぞれを、特定の数字、アルファベットを連想できにくいように所定位置に配置している。この暗証番号入力装置によると、数字、アルファベットで暗証番号またはパスワードが記憶できなくなっていることで、利用者は手の感覚として暗証番号またはパスワードを記憶することを余儀なくされる。したがって、利用者が暗証番号として、自分の生年月日、電話番号、ローマ字氏名、辞書キーワードなどを用いることが不可能になり、キャッシュカード紛失による預金盗難やネットワークの不正侵入などの危険を大幅に減少できるとしている。
【特許文献１】特開２００２−２１５３０５号公報
【特許文献２】特許２００２−７０３６号公報
【特許文献３】特開２００１−３４４０５８号公報
【考案の開示】
【考案が解決しようとする課題】
【０００７】
ところが、これら従来の装置では、ＡＴＭの操作口に、カードを挿入し暗証番号を入力する際の盗撮を防止することが困難であるか、あるいは操作が複雑になりＡＴＭの使用が困難になっている。
【０００８】
すなわち、特許文献１によると、入力装置の表示画面に表示された選択要素文字を第１のキーにより選択し、第２のキーにより選択要素文字を決定するので、暗証番号が漏洩するのを防止できるとしても、キー入力に二倍の手間を要することになる。この結果、操作が複雑になりＡＴＭの使用が困難になる不都合がある。
【０００９】
また、特許文献２では、手のひらに入るカード読取端末機を提供するものなので、ＡＴＭでの使用ができない構造になっている。
【００１０】
特許文献３によると、暗証番号入力時の指の動きを基に入力された暗証番号を第三者に悟られないように、前記複数のボタンのそれぞれを、特定の数字、アルファベットを連想しにくいように所定位置に配置しているため、利用者が入力する際に、極めて難しい操作になってしまう。
【００１１】
そこで、本考案は上述の課題を解消すべく案出されたもので、ＡＴＭの操作口に、カードを挿入し暗証番号を入力する際の盗撮を防止することが可能になり、しかも、利用者の入力操作を困難にすることのないＡＴＭ用盗撮防止装置の提供を目的とするものである。
【課題を解決するための手段】
【００１２】
本考案の第１の手段は、略箱体状のＡＴＭ本体Ｐ上面に表示パネル１を有し、このＡＴＭ本体Ｐから表示パネル１の上方に延長された壁面Ｐ１にカード挿入口２と通帳挿入口３とを備えたＡＴＭにおいて、表示パネル１の表示を利用者以外から盗撮されないように隠す保護カバー４を設け、該保護カバー４を表示パネル１またはカード挿入口２の上方に位置するようにＡＴＭ本体または壁面に固定したことにある。
【００１３】
第２の手段の前記保護カバー４は、不透明な庇部４Ａと、前記壁面Ｐ１に固定する固定部４Ｂとからなり、庇部４Ａで前記表示パネル１とカード挿入口２と通帳挿入口３とを覆うように配設されている。
【００１４】
第３の手段において、前記保護カバー４を、盗撮カメラの荷重に耐えられない支持力で設置したものである。
【００１５】
第４の手段の前記保護カバー４は、透明な庇部４Ａを有し、該庇部４Ａに、利用者のみが表示パネル１の表示を認識できる偏光フィルターが施されている。
【００１６】
第５の手段のＡＴＭは、前記壁面Ｐ１にカード挿入口２と通帳挿入口３とが併設され、前記保護カバー４にてこれらカード挿入口２と通帳挿入口３とを隠すように配設し、利用者側から表示パネル１とカード挿入口２と通帳挿入口３とを認識できるように設けている。
【００１７】
第６の手段の保護カバー４は、前記表示パネル１の左右側部から表示パネル１の上部を囲む略ドーム型に形成されたことを課題解消のための手段とする。
【考案の効果】
【００１８】
本考案の請求項１により、表示パネル１の表示を利用者以外から盗撮されないように隠す保護カバー４を表示パネル１の上方に設けたことにより、ＡＴＭの操作口に、カードを挿入し暗証番号を入力する際の盗撮を防止することが可能になった。しかも、利用者の入力操作は、従来と全く変わらないので、従来の盗撮防止装置のように利用者の操作が面倒になる不都合も解消された。
【００１９】
請求項２によると、不透明な庇部４Ａと、前記壁面Ｐ１に固定する固定部４Ｂとで保護カバー４を設けているので、保護カバー４の構成がシンプルになり、壁面Ｐ１への装着が容易になり、しかも、盗撮を確実に防止することができる。
【００２０】
請求項３により、盗撮カメラの荷重に耐えられない支持力で保護カバー４を設置することで、該保護カバー４に盗撮用のカメラが設置されないようにしている。
【００２１】
請求項４では、透明な庇部４Ａを設け、該庇部４Ａに、利用者のみが表示パネルの表示を認識できる偏光フィルターを施したことで、該庇部４Ａに盗撮用のカメラを取り付けることが不可能になり、利用者の操作も容易になるものである。
【００２２】
請求項５によると、カード挿入口２と通帳挿入口３とが併設されたＡＴＭに用いることで、通帳の情報についての盗撮も防止することができる。また、利用者側から表示パネル１とカード挿入口２と通帳挿入口３とを認識できるので、通常の操作にも支障はない。
【００２３】
請求項６では、保護カバー４を、前記表示パネル１の左右側部から表示パネル１の上部を囲む略ドーム型に形成することで、より広範囲からの盗撮防止が可能になる。
【００２４】
このように本考案によると、ＡＴＭの操作口に、カードを挿入し暗証番号を入力する際の盗撮を防止することが可能になり、しかも、利用者の入力操作を困難にすることがないなどといった有益な種々の効果を奏するものである。
【考案を実施するための最良の形態】
【００２５】
本考案の最良の形態は、略箱体状のＡＴＭ本体Ｐ上面に表示パネル１を有し、このＡＴＭ本体Ｐから表示パネル１の上方に延長された壁面Ｐ１にカード挿入口２と通帳挿入口３とを備えたＡＴＭを設ける。表示パネル１の表示を利用者以外から盗撮されないように隠す保護カバー４を設け、表示パネル１またはカード挿入口２の上方に配設する。該保護カバー４に庇部４Ａを設ける。庇部４Ａで前記表示パネル１とカード挿入口２と通帳挿入口３とを覆うように配設する。保護カバー４を、盗撮カメラの荷重に耐えられない支持力で設置することで当初の目的を達成するものである。
【実施例】
【００２６】
本考案は、ＡＴＭに装着することで、盗撮を防止するものである。ＡＴＭは、略箱体状のＡＴＭ本体Ｐ上面に表示パネル１を有するもので、このＡＴＭ本体Ｐから表示パネル１の上方に延長された壁面Ｐ１にカード挿入口２を備えている（図１参照）。この壁面Ｐ１には、カード挿入口２の外、通帳挿入口３も配置されているものもあるが、本考案は、このような各種のＡＴＭに適用するものである。
【００２７】
保護カバー４は、表示パネル１の表示を利用者以外から盗撮されないように隠すカバーで、該保護カバー４を表示パネル１やカード挿入口２等の上方に配設する。
【００２８】
この保護カバー４は、不透明な庇部４Ａと、前記壁面Ｐ１に固定する固定部４Ｂとで設けることで、保護カバー４より上からの盗撮を確実に防止することができる。このとき、保護カバー４の材質として、合成樹脂や金属など任意の材質を選択することができる。また、庇部４Ａの材質を極端に薄く形成し、あるいは固定部４Ｂの固定力を敢えて小さく設定し、この保護カバー４に盗撮用カメラの設置を不可能にすることも可能である。
【００２９】
たとえば固定部４Ｂの固着に接着剤や面ファスナー（図示せず）を使用し、庇部４Ａ以外の荷重が固定部４Ｂに加わったときに容易に外れるようにすることも可能である。あるいは固定部４Ｂを強固に固定し、庇部４Ａを薄く柔らかい材質を用いることで盗撮カメラの装着が不可能になる。更に、庇部４Ａを湾曲させることで、盗撮カメラの装着を困難にすることもできる。
【００３０】
また、保護カバー４を、透明な庇部４Ａにて形成し、該庇部４Ａに、利用者のみが表示パネルの表示を認識できる偏光フィルター（図示せず）を施してもよい。このとき、偏光処理は、庇部４Ａ全体に施すほか、庇部４Ａの一部に施すなど、偏光処理の範囲や手段は自由に選択することができるものである。また、偏光フィルターを用いる場合は、庇部４Ａを略平面形状にしてもよく、また、この場合、壁面Ｐ１から表示パネル１全面を覆うような大きな庇部４Ａを形成した場合でも、透明な庇部４Ａを用いるので、利用者の操作の妨げにならずに済む。
【００３１】
図２に示す保護カバー４は、他の実施例を示すもので、保護カバー４の形状を、前記表示パネル１の左右側部から表示パネル１の上部を囲む略ドーム型に形成し、保護カバー４の前面に利用者が操作する開口部や、保護カバー４内部に操作可能なスペースを設けている。図示例では、カード挿入口２や通帳挿入口３までを保護カバー４で囲んでいるが、表示パネル１のみをドーム型の保護カバー４で囲むことも可能である。また、図示の保護カバー４は、略かまくら状のドーム型を成しているが、より真球に近い球体状のドーム型にすることも可能である（図示せず）。更に、図示では保護カバー４の固定部４ＢをＡＴＭ本体Ｐに固定しているが、壁面Ｐ１に固定しても良く、保護カバー４の固定手段はこの図示例に限られない。そして、保護カバー４を透明材で形成し、前述の偏光フィルターを設け、利用者側から保護カバー４の内部が見えるように設けることで、ドーム型の保護カバー４を通して表示パネル１やカード挿入口２、通帳挿入口３等の操作に支障が生じないようにしている。
【００３２】
尚、本考案における図示例の各構成は、本考案の一実施例に過ぎず、たとえば、庇部４Ａの形状をカード挿入口２の上部から側面までを囲む全体に丸みを帯びたコンパクトな庇部４Ａを設けたものなど、保護カバー４全体の構成や庇部４Ａの形状や寸法等の設計変更、材質の転換、あるいは固定部４Ｂの固定手段や固定構造など、本考案の要旨を変更しない範囲において自由に変更することができるものである。
【図面の簡単な説明】
【００３３】
【図１】本考案の一実施例を示す斜視図である。
【図２】本考案の他の実施例を示す要部斜視図である。
【符号の説明】
【００３４】
Ｐ  ＡＴＭ本体      Ｐ１  壁面
１  表示パネル
２  カード挿入口
３  通帳挿入口          
４  保護カバー      ４Ａ  庇部
４Ｂ  固定部
【図１】
0003120388.tif 000003
【図２】
0003120388.tif 000004